(57)【特許請求の範囲】
【請求項１】
時計ムーブメントに固定され、回路基板のスイッチ接点部に接点部が接触する少なくとも１以上の接点バネ部を設けた支持板と、
外周部に前記接点バネ部と対応した少なくとも１以上のスイッチバネ部を設け、前記支持板の少なくとも一部を覆うスイッチ節度板と、
を有し、前記時計ムーブメントの基本形状とは異なる形状の時計ケースに装着された外部操作部材の操作により前記スイッチバネ部が撓んで、前記接点バネ部を押し下げ、前記接点バネ部の接点部を前記回路基板のスイッチ接点部に接触させる
ことを特徴とするスイッチ接続構造。
【請求項２】
前記スイッチ節度板の外周部に複数の前記スイッチバネ部を対称に配設した
ことを特徴とする請求項１記載のスイッチ接続構造。
【請求項３】
前記スイッチ節度板の外周部に、前記時計ムーブメントに掛止する複数個のフック部を配設した
ことを特徴とする請求項１又は２記載のスイッチ接続構造。
【請求項４】
前記スイッチ節度板のスイッチバネ部は、前記時計ケースの胴内の側壁に略平行に延出されるとともに、前記接点バネ部との接触部にＲ部（湾曲部）を設けた
ことを特徴とする請求項１又は２記載のスイッチ接続構造。
【請求項５】
前記スイッチ節度板のスイッチバネ部は、前記時計ケースの胴内の側壁に略平行に延出されるとともに、前記接点バネ部との接触部に略平行な角部を設けた
ことを特徴とする請求項１又は２記載のスイッチ接続構造。
【請求項６】
前記時計ムーブメントの基本形状は丸型であり、前記接点バネ部を押し下げる方向は、前記時計ムーブメントの略中心方向である
ことを特徴とする請求項１記載のスイッチ接続構造。
【発明の詳細な説明】
【０００１】
【発明の属する技術分野】
本発明は、外部操作部材を有する多機能電子時計のスイッチ接続構造に関する。
【０００２】
【従来の技術】
近年、多機能電子腕時計として、クロノグラフ機能などを付加した腕時計が市場に出ている。これらの多機能電子腕時計は一般的に、基本の丸形ムーブメントの平面部分を略覆うように支持板を冠着し、ムーブメントと略同形状をした時計ケースの胴内に装着する。スイッチ接続構造では、該時計ケース胴の所定の位置に配設された外部操作部材であるプッシュボタンを押圧することにより、支持板に設けられた接点バネ部と、該接点バネ部が回路基板のスイッチ接点部に接触して、ムーブメントに搭載されている電子部品の各素子と電気的に接続する。
【０００３】
上記したように、基本ムーブメントと時計ケースが略同形状のため、プッシュボタンの押圧力はムーブメントの略中心方向に作用するので、支持板の接点バネ部が磨耗したり変形したりすることはなかった。
【０００４】
しかし、市場における顧客ニーズの多様化により、異形状、例えば角形の時計ケースの要求が有る。そのため、新規に角形のムーブメントを起こすことなく、基本の丸形ムーブメントをそのまま角形の時計ケースに装着することが必要になる。
【０００５】
図１０は、丸形ムーブメントを角形の時計ケースに装着したプッシュボタン付近の要部平面図である。図１０において、１は、ムーブメントで、時計の基台である地板と各種輪列を支持する受類と、水晶振動子、電気素子、ＩＣチップなどの電子部品を搭載する。２は、電子部品の各々の素子を電気的に接続する配線パターンを有し、側壁の一部にスイッチ接点部２ａを配設した回路基板である。３は、前記ムーブメント１の平面部分を略覆い冠着するように形成された支持板である。該支持板３の外周部には前記プッシュボタン４に対応する位置にプッシュボタン４と同数の接点バネ部３ａが形成されている。
【０００６】
そして、５は角形の時計ケースで、時計ケース５の胴部の所定の位置に前記プッシュボタン４が嵌着されている。前記ムーブメント１に支持板３が冠着された状態で時計ケース５の胴内に収納することにより、基本の丸形のムーブメント１をそのまま角形の時計ケース５に装着している。なお、７は、通常の修正操作を行うリューズである。また、丸型の時計ムーブメントで上記支持板と同様なスイッチ戻しばねを持つ電池押さえ板を設けたもの（例えば、特許文献１参照）、楕円形の時計ムーブメントで上記支持板と同様な腕部（スイッチ戻しばね）を持つ回路支持板を設けたものもある（例えば、特許文献２参照）
【０００７】
【特許文献１】
特開平７−５２７０号公報
（段落[０００９]、図１、図２（ａ）、図３、図４）
【特許文献２】
特開昭５５−１２８１８５号公報
（第４欄第１１行乃至第５欄第１５行、第２図、第４図）
【０００８】
上記した構成のスイッチ接続構造において、プッシュボタン４の押圧部４ａを操作することにより、プッシュボタン４の先端に設けられた当接部４ｂは、支持板３の接点バネ部３ａを押し下げて、先端部の接点部３ｂが前記回路基板２に形成されているスイッチ接点部２ａに接触することにより、前記ムーブメント１に搭載されている電子部品の各々の素子と電気的に接続するものである。
【０００９】
【発明が解決しようとする課題】
しかしながら、上記した従来のスイッチ接続構造においては、異形状の角形の時計ケース５に基本の丸形のムーブメント１を装着するため、プッシュボタン４の押圧力はムーブメント１の中心方向に作用しない。そのため、プッシュボタン４の押圧部４ｂと接点バネ部３ａは斜めに点接触することとなり、プッシュボタン４の押圧により、支持板の接点バネ部３ａが異常に磨耗したり、変形したりすると言う問題が発生する。従って、プッシュボタン４の繰り返し操作により支持板３の接点部３ｂと回路基板２のスイッチ接点部２ａとの接触が不安定になり、接続不良の原因になる。又、プッシュボタン４と接点バネ部３ａとの距離も長くなることから、プッシュボタン４の当接部４ｂまでの距離が非常に長いプッシュボタン４を用意しなければならなかった。従って、プッシュボタン４の加工に当たっては変形が起こることもあり、材料も余分に必要な為、その製造原価も高いものとなっていた。
【００１０】
本発明の目的は、上記した問題を解決し、ムーブメントの基本形状とは、異形状の時計ケースに、基本形状のムーブメントを装着し、プッシュボタンを繰り返し操作しても支持板の接点バネ部が異常に磨耗したり、変形したりしない、安価なスイッチ接続構造を提供するものである。
【００１１】
【課題を解決するための手段】
上記目的を達成するために、本発明におけるスイッチ接続構造は時計ムーブメントに固定され、回路基板のスイッチ接点部に接点部が接触する少なくとも１以上の接点バネ部を設けた支持板と、外周部に前記接点バネ部と対応した少なくとも１以上のスイッチバネ部を設け、前記支持板の少なくとも一部を覆うスイッチ節度板と、を有し、前記時計ムーブメントの基本形状とは異なる形状の時計ケースに装着された外部操作部材の操作により前記スイッチバネ部が撓んで、前記接点バネ部を押し下げ、前記接点バネ部の接点部を前記回路基板のスイッチ接点部に接触させる構造である。スイッチ節度板のスイッチバネ部が、ムーブメントの基本形状とは異なる形状の時計ケースに装着されたプッシュボタン等の外部操作部材からの押圧力を適切に伝える仲介の役割を果たす。
【００１２】
また、前記スイッチ節度板の外周部に複数の前記スイッチバネ部を対称に配設したスイッチ接続構造とすれば、複数の接点バネ部を設けた支持板を持つ時計ムーブメントを異形の時計ケースに適合させ、接点バネ部が異常に磨耗したり、変形したりするのを防止できる。
【００１３】
また、前記スイッチ節度板の外周部に、前記時計ムーブメントに掛止する複数個のフック部を配設したスイッチ接続構造とすれば、スイッチ節度板を時計ムーブメントに掛止して、時計ムーブメントへの位置決めを行い、また時計ムーブメントと一緒の取り扱いができる。
【００１４】
また、前記スイッチ節度板のスイッチバネ部は、前記時計ケースの胴内の側壁に略平行に延出されるとともに、前記接点バネ部との接触部にＲ部（湾曲部）を設けることとすれば、プッシュボタンの押圧力はスイッチ節度板の先端部に略垂直方向に作用し、スイッチ節度板の支持板への力の方向は、ムーブメントの略中心方向に作用する。この結果プッシュボタンの先端部と支持板の接点バネ部とは線接触できると共に、スイッチ節度板のスイッチバネ部と支持板の接点バネ部の接触部はＲ部で線接触する為、接点バネ部の異常な摩耗や変形が回避できる。
【００１５】
また、前記スイッチ節度板のスイッチバネ部は、前記時計ケースの胴内の側壁に略平行に延出されるとともに、前記接点バネ部との接触部に略平行な角部を設けることとすれば、プッシュボタンの押圧力はスイッチ節度板の先端部に略垂直方向に作用し、スイッチ節度板の支持板への力の方向は、ムーブメントの略中心方向に作用する。この結果プッシュボタンの先端部と支持板の接点バネ部とは線接触できると共に、スイッチ節度板のスイッチバネ部と支持板の接点バネ部の接触部は平行な角部で線接触する為、接点バネ部の異常な摩耗や変形が回避できる。
【００１６】
【発明の実施の形態】
以下本発明の実施の形態を図を参照しつつ本発明におけるスイッチ接続構造について説明する。
【００１７】
図１乃至図４は、本発明に基づくスイッチ接続構造を、丸形ムーブメントを角形の時計ケースに装着した場合の第一の実施例を示すもので、図１は要部平面図である。プッシュボタンとケースは断面としている。図２は支持板の平面図、図３はスイッチ節度板の平面図である。図４はムーブメント組立体の配設状況を示す側面図である。従来技術（図１０）と対応する部材は同一符号で示す。
【００１８】
丸形のムーブメント１には、図２のような支持板３が冠着されている。支持板３の外周には接点バネ部３ａが、支持板３の本体から立ち下げられ、ムーブメントを囲んで伸び先端が接点部３ｂとされている。また、先端の接点部３ｂは、支持板３の本体から立ち下げられた規制部３ｃに当たって支持板３の外方向への飛出しを制限されている。この接点バネ部３ａは、ここでは４箇所に支持板３の外周に沿って略対称に形成されている。支持板３はムーブメントにネジ止め、接着などで固定される。支持板３の略全面を覆うように図３に示すスイッチ節度板６が冠着する。該スイッチ節度板６にはその外周部の支持板３の接点バネ部３ａに対応した位置にスイッチバネ部６ａが立ち下げて形成され配設されている。
【００１９】
前記スイッチ節度板６に配設したスイッチバネ部６ａの形状は、時計ケース５の胴内の側壁に略平行に延出して、その先端部６ｂはプッシュボタン４を操作した時にプッシュボタン４の当接部４ｂに接触する近傍で内側に略Ｕ字状に折り曲げられていて、先端部６ｂからさらに伸びた対向位置に丸みを持って曲げられたＲ部６ｃが形成されている。また、前記スイッチ節度板６は、その外周部に略均等に時計ムーブメントに掛止する複数個のフック部６ｄ（図３では、４個）が立ち下げて形成され配設されている。これらの配置の上下関係は、図４から分るように、回路基板２を有する時計ムーブメンと同じ高さレベルに時計ムーブメントに載置された支持板３からの接点バネ部３ａが立ち下げられ並行に伸びて配置される。支持板３の上には、支持板３を覆い、フック部６ｄにより時計ムーブメントに掛止して、スイッチ節度板６が配設される。平面的には、図１に示すように、回路基板２のスイッチ接点部２ａに支持板３の先端の接点部３ｂが対向し、支持板３の接点バネ部３ａの中間に、スイッチ節度板６の先端部６ｂから伸びたＲ部６ｃが当接可能に、さらに、外部操作部材、ここではプッシュボタンの先端の当接部４ｂがスイッチ節度板６の先端部６ｂに当接可能に配置される。
【００２０】
以上述べた第一実施例の作用・効果について説明する。所望のプッシュボタン４の押圧部４ａを押圧することにより、プッシュボタン４の先端に設けられた当接部４ｂは、先ず、スイッチ節度板６の先端部６ｂを略垂直に押すように作用し、先端部６ｂに対向して折り曲げられたＲ部６ｃが、支持板３の接点バネ部３ａをムーブメント１の略中心方向に作用するように押し下げる。支持板３の先端の接点部３ｂが、回路基板２に形成されているスイッチ接点部２ａに接触する。上記プッシュボタン４の操作によりムーブメント１に搭載されている電子部品の各々の素子と電気的に接続する。
【００２１】
図９は、上記図１に示した第一の実施例におけるプッシュボタンの押圧力の伝達状況を示す説明平面図で、矢印で示すように、プッシュボタン４の押圧力はスイッチ節度板６の先端部６ｂに略垂直方向に作用し、スイッチ節度板６の支持板３への力の方向は、ムーブメント１の略中心方向に作用する。従って、従来、問題になっていた、プッシュボタンの先端部が支持板の接点バネ部と点接触で滑るように接触するために生じる、プッシュボタン４の繰り返し操作による支持板の接点バネ部３ａの異常な磨耗や変形が回避できる。このため電気的接続の信頼性が向上する。
【００２２】
また、前記スイッチ節度板６の外周部に略均等に複数個のフック部６ｄが配設されているので、ネジ等を使用して固定する面倒な作業は不要で、スイッチ節度板６を支持板３に確実に節度良く冠着される。更に、プッシュボタン４の操作時にフック部６ｄにより安定して保持されるので、スイッチ節度板６が浮くことがなく、プッシュ操作は確実にできる。
【００２３】
また、前記スイッチ節度板６を顧客に支給するのみで、顧客が要望する角形の時計ケース５に基本の丸形のムーブメント１を容易に装着することも可能である。
【００２４】
以上述べた様に、スイッチ節度板を使用することにより、異形状の角形の時計ケースに基本の丸形のムーブメントを容易に装着することができる。また、プッシュボタンを繰り返し操作しても支持板の接点バネ部が異常に磨耗したり、変形したりすることがなくなる。信頼性に優れた、安価なスイッチ接続構造を提供することができる。
【００２５】
次に、図５及び図６によって、本発明に基づくスイッチ接続構造を、丸形ムーブメントを角形の時計ケースに装着した場合の第二の実施例を説明する。図５は要部平面図である。プッシュボタンとケースは図１と同様に、断面としている。図６はスイッチ節度板の平面図である。支持板は第一の実施例の図２と同様のものを使用している。
【００２６】
従来技術（図１０）と対応する部材は同一符号で、また、第一の実施例における部材と対応するものは同一符合で示す。
【００２７】
丸形のムーブメント１には、図２のような支持板３が冠着されている。支持板３の外周には接点バネ部３ａが、支持板３の本体から立ち下げられ、ムーブメントを囲んで伸び先端が接点部３ｂとされている。また、先端の接点部３ｂは、支持板３の本体から立ち下げられた規制部３ｃに当たって支持板３の外方向への飛出しを制限されている。この接点バネ部３ａは、ここでは４箇所に支持板３の外周に沿って略対称に形成されている。支持板３はムーブメントにネジ止め、接着などで固定される。支持板３の略全面を覆うようにスイッチ節度板６が冠着する。該スイッチ節度板６にはその外周部の支持板３の接点バネ部３ａに対応した位置にスイッチバネ部６ａが立ち下げて形成され配設されている。
【００２８】
前記スイッチ節度板６に配設したスイッチバネ部６ａの形状は、時計ケース５の胴内の側壁に略平行に延出して、その先端部６ｂはプッシュボタン４を操作した時にプッシュボタン４の当接部４ｂに接触する近傍でＳ字形に内側に曲げられていて、先端部６ｂからさらに伸びた位置に丸みを持つＲ部６ｃが形成されている。また、前記スイッチ節度板６は、その外周部に略均等に時計ムーブメントに掛止する複数個のフック部６ｄ（図６では、４個）が立ち下げて形成され配設されている。これらの配置の上下関係は、第一の実施例と同様である。平面的には、図５に示すように、回路基板２のスイッチ接点部２ａに支持板３の先端の接点部３ｂが対向し、支持板３の接点バネ部３ａの中間に、スイッチ節度板６の先端部６ｂから伸びたＲ部６ｃが当接可能に、さらに、外部操作部材、ここではプッシュボタンの先端の当接部４ｂがスイッチ節度板６の先端部６ｂに当接可能に配置される。
【００２９】
以上述べた第二の実施例の作用・効果も基本的には第一の実施例と同様である。すなわち、所望のプッシュボタン４の押圧部４ａを押圧することにより、プッシュボタン４の先端に設けられた当接部４ｂは、先ず、スイッチ節度板６の先端部６ｂを略垂直に押すように作用し、先端部６ｂから伸びたＲ部６ｃが、支持板３の接点バネ部３ａをムーブメント１の略中心方向に作用するように押し下げる。支持板３の先端の接点部３ｂが、回路基板２に形成されているスイッチ接点部２ａに接触する。上記プッシュボタン４の操作によりムーブメント１に搭載されている電子部品の各々の素子と電気的に接続する。
【００３０】
第一の実施例との相違点は、スイッチ節度板６の先端が先端部６ｂからＲ部６ｃにＳ字形に伸びていることである。Ｒ部６ｃは、その先端が外側にむいているため、第一の実施例の場合と比較し、スイッチ節度板６を多数部品として一緒に取り扱ったとき、あるいは他の部品と共に取り扱うとき、の絡まりが少ない。
【００３１】
第二の実施例でも、その他の効果は第一の実施例と同様であり、スイッチ節度板を使用することにより、異形状の角形の時計ケースに基本の丸形のムーブメントを容易に装着することができる。また、プッシュボタンを繰り返し操作しても支持板の接点バネ部が異常に磨耗したり、変形したりすることがなくなる。信頼性に優れた、安価なスイッチ接続構造を提供することができる。
【００３２】
次に、図７及び図８によって、本発明に基づくスイッチ接続構造を、丸形ムーブメントを角形の時計ケースに装着した場合の第三の実施例を説明する。図７は要部平面図である。プッシュボタンとケースは図１と同様な断面としている。
【００３３】
図８はスイッチ節度板の平面図である。支持板は第一の実施例の図２と同様のものを使用している。
【００３４】
従来技術（図１０）と対応する部材は同一符号で、また、第一の実施例における部材と対応するものは同一符合で示す。
【００３５】
丸形のムーブメント１には、図２のような支持板３が冠着されている。支持板３の外周には接点バネ部３ａが、支持板３の本体から立ち下げられ、ムーブメントを囲んで伸び先端が接点部３ｂとされている。また、先端の接点部３ｂは、支持板３の本体から立ち下げられた規制部３ｃに当たって支持板３の外方向への飛出しを制限されている。この接点バネ部３ａは、ここでは４箇所に支持板３の外周に沿って略対称に形成されている。支持板３はムーブメントにネジ止め、接着などで固定される。
【００３６】
支持板３の略全面を覆うようにスイッチ節度板６が冠着する。該スイッチ節度板６にはその外周部の支持板３の接点バネ部３ａに対応した位置にスイッチバネ部６ａが平面的に形成され配設される。
【００３７】
前記スイッチ節度板６に配設したスイッチバネ部６ａの形状は、時計ケース５の胴内の側壁に略平行に延出して、その先端部６ｂはスイッチバネ部６ａから延出し立ち下げて形成されている。先端部６ｂはプッシュボタン４を操作した時にプッシュボタン４の当接部４ｂを平面で受けて接触する位置に形成される。先端部６ｂから曲げにより水平に平板上の平板部６ｅが高さ位置を支持板３の接点バネ部３ａにあわせて形成され、その角部６ｆは接点バネ部３ａと平行方向に形成される。また、前記スイッチ節度板６は、その外周部に略均等に時計ムーブメントに掛止する複数個のフック部６ｄ（図８では、４個）が立ち下げて形成され配設される。
【００３８】
これらの配置の上下関係は、第一の実施例と同様である。平面的には、図７に示すように、回路基板２のスイッチ接点部２ａに支持板３の先端の接点部３ｂが対向し、支持板３の接点バネ部３ａの中間に、スイッチ節度板６の先端部６ｂから伸びた平板部６ｅの角部６ｆが当接可能に、さらに、外部操作部材、ここではプッシュボタンの先端の当接部４ｂがスイッチ節度板６の先端部６ｂに当接可能に配置される。
【００３９】
以上述べた第三の実施例の作用・効果も基本的には第一の実施例と同様である。すなわち、所望のプッシュボタン４の押圧部４ａを押圧することにより、プッシュボタン４の先端に設けられた当接部４ｂは、先ず、スイッチ節度板６の先端部６ｂを略垂直に押すように作用し、先端部６ｂから伸びた平板部６ｅの角部６ｆが、支持板３の接点バネ部３ａをムーブメント１の略中心方向に作用するように押し込む。支持板３の先端の接点部３ｂが、回路基板２に形成されているスイッチ接点部２ａに接触する。上記プッシュボタン４の操作によりムーブメント１に搭載されている電子部品の各々の素子と電気的に接続する。
【００４０】
第一及び第二の実施例との相違点は、スイッチ節度板６のスイッチバネ部６ａ、先端部６ｂ、平板部６ｅの形状の違いにある。このような形状では、スイッチバネ部６ａのバネ幅が細くできるため、プッシュボタンの押し力を少なくできることである。第二の実施例でも、その他の効果は第一の実施例と同様であり、スイッチ節度板を使用することにより、異形状の角形の時計ケースに基本の丸形のムーブメントを容易に装着することができる。また、プッシュボタンを繰り返し操作しても支持板の接点バネ部が異常に磨耗したり、変形したりすることがなくなる。信頼性に優れた、安価なスイッチ接続構造を提供することができる。
【００４１】
【発明の効果】
以上説明したように、本発明によれば、スイッチ節度板のスイッチバネ部が、ムーブメントの基本形状とは異なる形状の時計ケースに装着されたプッシュボタン等の外部操作部材からの押圧力を適切に伝える仲介の役割を果たす。これによって、接点バネ部の異常な磨耗、変形の防止を可能とできる。
【図面の簡単な説明】
【図１】  本発明に基づくスイッチ接続構造を、丸形ムーブメントを角形の時計ケースに装着した場合の第一の実施例を示す要部平面図である。プッシュボタンとケースは断面としている。
【図２】  上記第一の実施例に用いられている支持板の平面図である。
【図３】  上記第一の実施例に用いられているスイッチ節度板の平面図である。
【図４】  上記第一の実施例のムーブメント組立体の配設状況を示す側面図である。
【図５】  本発明に基づくスイッチ接続構造を、丸形ムーブメントを角形の時計ケースに装着した場合の第二の実施例を示す要部平面図であり、図１に対応する。
【図６】  上記第二の実施例に用いられているスイッチ節度板の平面図である。
【図７】  本発明に基づくスイッチ接続構造を、丸形ムーブメントを角形の時計ケースに装着した場合の第三の実施例を示す要部平面図であり、図１に対応する。
【図８】  上記第三の実施例に用いられているスイッチ節度板の平面図である。
【図９】  上記図１に示した第一の実施例におけるプッシュボタンの押圧力の伝達状況を示す説明平面図である。
【図１０】  従来のスイッチ接続構造を、丸形ムーブメントを角形の時計ケースに装着した場合を示す要部平面図である。
【符号の説明】
１  ムーブメント、２  回路基板、２ａ  スイッチ接点部、３  支持板、３ａ接点バネ部、３ｂ  接点部、３ｃ  規制部、４  プッシュボタン、４ａ  押圧部、４ｂ  当接部、５  時計ケース、６  スイッチ節度板、６ａ  スイッチバネ部、６ｂ  先端部、６ｃ  Ｒ部（湾曲部）、６ｄ  フック部、６ｅ  平板部、６ｆ  角部、７  リューズ（竜頭）。
【図１】
0004265914.tif 000002
【図２】
0004265914.tif 000003
【図３】
0004265914.tif 000004
【図４】
0004265914.tif 000005
【図５】
0004265914.tif 000006
【図６】
0004265914.tif 000007
【図７】
0004265914.tif 000008
【図８】
0004265914.tif 000009
【図９】
0004265914.tif 000010
【図１０】
0004265914.tif 000011